(57)【要約】【課題】好適な撮影を可能にするアダプタを提供すること。【解決手段】アダプタ３０は、カメラ本体１０と結合される第１結合部３５と、レンズ鏡筒２０と結合される第２結合部３６と、第１結合部３５に結合されたカメラ本体１０との間で通信する通信部３２と、第２結合部３６から第１結合部３５へ進む光の光路上に設けられた開閉部材３１と、通常は開閉部材３１を開駆動し、第１結合部３５に結合されたカメラ本体１０の撮像素子１１の露光時間が所定時間より長い場合にカメラ本体１０から送信される指示が通信部３２で受信されると、露光時間と同じ長さで開閉部材３１を閉駆動させる制御部３２と、を備える。【選択図】図２
2014236243.tif 000002
【特許請求の範囲】
【請求項１】
カメラ本体と結合される第１結合部と、
レンズ鏡筒と結合される第２結合部と、
前記第１結合部に結合されたカメラ本体との間で通信する通信部と、
前記第２結合部から前記第１結合部へ進む光の光路上に設けられた開閉部材と、
通常は前記開閉部材を開駆動し、前記第１結合部に結合されたカメラ本体の撮像素子の露光時間が所定時間より長い場合に前記カメラ本体から送信される指示が前記通信部で受信されると、前記露光時間と同じ長さで前記開閉部材を閉駆動させる制御部と、
を備えることを特徴とするアダプタ。
【請求項２】
請求項１に記載のアダプタにおいて、
前記指示は、前記カメラ本体において前記撮像素子で生じるノイズの低減処理のために前記カメラ本体から送信されることを特徴とするアダプタ。
【請求項３】
請求項１または２に記載のアダプタにおいて、
前記第２結合部から前記第１結合部へ進む光の光路上と前記光路外との間で移動可能に設けられた減光部材をさらに備え、
前記制御部はさらに、通常は前記減光部材を前記光路外へ移動し、前記カメラ本体において前記撮像素子の露光時間を所定時間より長くするために前記カメラ本体から送信される指示が前記通信部で受信されると、前記減光部材を前記光路上へ移動させることを特徴とするアダプタ。
【請求項４】
請求項３に記載のアダプタにおいて、
前記指示は、前記カメラ本体において露出オーバーの場合に前記カメラ本体から送信されることを特徴とするアダプタ。
【請求項５】
請求項１〜４のいずれか一項に記載のアダプタにおいて、
前記第２結合部には、一眼レフカメラ用のレンズ鏡筒が結合されることを特徴とするアダプタ。
【請求項６】
請求項１〜５のいずれか一項に記載のアダプタにおいて、
前記第１結合部には、シャッター装置を搭載しないカメラ本体が結合されることを特徴とするアダプタ。
【発明の詳細な説明】
【技術分野】
【０００１】
本発明は、レンズ交換式カメラシステムにおけるアダプタに関する。
【背景技術】
【０００２】
一眼レフカメラ用の交換レンズを、一眼レフタイプでないカメラに装着するためのマウント変換アダプタが知られている（特許文献１参照）。マウント変換アダプタは、一方のマウントが３５mm版一眼レフカメラ用のレンズマウントであり、他方のマウントが他タイプのカメラ用のレンズマウントである。
【０００３】
一般に、３５mm版一眼レフカメラシステムは、カメラ本体側に機械式のフォーカルプレーンシャッターが備わり、交換レンズ側にはシャッター機構が存在しない。一方、一眼レフタイプでないカメラシステムでは、カメラ本体側の機械式シャッター機構が省略されているものがある。
【先行技術文献】
【特許文献】
【０００４】
【特許文献１】特開平５−９１３８８号公報
【特許文献２】特開平８−５１５７１号公報
【発明の概要】
【発明が解決しようとする課題】
【０００５】
上述したマウント変換アダプタで一眼レフカメラ用の交換レンズを一眼レフタイプでないカメラに装着すると、カメラ本体にも交換レンズにも機械式シャッターが存在しない場合が生じる。この場合、特許文献２に記載されるノイズ低減処理、すなわち、シャッターを開いて取得した通常の露光画像から、シャッターを閉じて取得したダーク露光画像を減算して、撮像素子で生じる固定パターンノイズを低減する処理を行えないという問題があった。本発明の課題は、好適な撮影を可能にするアダプタを提供することである。
【課題を解決するための手段】
【０００６】
本発明によるアダプタは、カメラ本体と結合される第１結合部と、レンズ鏡筒と結合される第２結合部と、第１結合部に結合されたカメラ本体との間で通信する通信部と、第２結合部から第１結合部へ進む光の光路上に設けられた開閉部材と、通常は開閉部材を開駆動し、第１結合部に結合されたカメラ本体の撮像素子の露光時間が所定時間より長い場合にカメラ本体から送信される指示が通信部で受信されると、露光時間と同じ長さで開閉部材を閉駆動させる制御部と、を備えることを特徴とする。
【発明の効果】
【０００７】
本発明によれば、好適な撮影を可能にするアダプタを提供できる。
【図面の簡単な説明】
【０００８】
【図１】本発明の一実施の形態による中間アダプタを含むレンズ交換式のカメラシステムを例示する斜視図である。
【図２】図１のカメラシステムの要部を説明する断面図である。
【図３】カメラＣＰＵが実行する撮影処理の流れを説明するフローチャートである。
【図４】変形例１のカメラＣＰＵが実行する撮影処理の流れを説明するフローチャートである。
【発明を実施するための形態】
【０００９】
以下、図面を参照して本発明を実施するための形態について説明する。図１は、本発明の一実施の形態による中間アダプタを含むレンズ交換式のカメラシステムを例示する斜視図である。本実施形態の中間アダプタ３０は、カメラボディ１０と交換レンズ２０との間でマウント規格が異なり、かつ、カメラボディ１０にも交換レンズ２０にも機械式シャッターが存在しない場合に用いるアダプタである。
【００１０】
図１において、カメラシステムは、カメラボディ１０と、中間アダプタ３０と、交換レンズ２０とで構成される。カメラボディ１０は、第１のマウント規格に準拠して交換レンズを装着するように構成された、第１カメラシステムにおけるカメラボディである。第１カメラシステムは、例えば、カメラボディ１０において機械式シャッター（フォーカルプレーンシャッター）を備えずに、レンズシャッターを内蔵する交換レンズと組合せたカメラシステムを構成する。
【００１１】
また、交換レンズ２０は、第１のマウント規格と異なる第２のマウント規格に準拠してカメラボディに装着するように構成された、第２カメラシステムにおける交換レンズである。第２カメラシステムは、例えば、交換レンズ２０においてレンズシャッターを備えずに、カメラボディにおいて機械式シャッター（フォーカルプレーンシャッター）を備えた３５mm版一眼レフカメラシステムを構成する。中間アダプタ３０は、上記第１カメラシステムを構成するカメラボディ１０に対し、上記第２カメラシステムを構成する交換レンズ２０を装着する場合に用いられる。
【００１２】
＜カメラボディ１０＞
カメラボディ１０には、第１のマウント規格のマウント部１５が設けられている。マウント部１５の内周側の所定位置には、端子群１４が設けられている。端子群１４は、カメラボディ１０から中間アダプタ３０（交換レンズ２０）への電力供給ライン、およびカメラボディ１０と中間アダプタ３０（交換レンズ２０）との間の通信ラインを構成する。
【００１３】
カメラボディ１０内において、マウント部１５の後方に撮像素子１１が設けられる。カメラボディ１０の上部には、シャッターボタン１６が設けられている。シャッターボタン１６の押下操作は、カメラボディ１０に対する撮影指示となる。
【００１４】
＜中間アダプタ３０＞
中間アダプタ３０は、略円筒形状を有する。中間アダプタ３０の一方の面には、第１のマウント規格に準拠する（すなわち、カメラボディ１０のマウント部１５と嵌合する）第１マウント部３５が設けられている。第１マウント部３５の内周側の所定位置には、端子群３４が設けられている。端子群３４は、カメラボディ１０から中間アダプタ３０への電力供給ライン、およびカメラボディ１０と中間アダプタ３０との間の通信ラインを構成する。
【００１５】
中間アダプタ３０の他方の面には、第２のマウント規格に準拠する（すなわち、交換レンズ２０のマウント部２６と嵌合する）第２マウント部３６が設けられている。第２マウント部３６の周に沿って所定位置には、端子群３７が設けられている。端子群３７は、中間アダプタ３０から交換レンズ２０への電力供給ライン、および中間アダプタ３０と交換レンズ２０との間の通信ラインを構成する。なお、中間アダプタ３０の形状は、円筒形の形状に限られるものではなく、他の形状であってもよい。
【００１６】
中間アダプタ３０の第１マウント部３５は、カメラボディ１０のマウント部１５に対して着脱可能である。また、中間アダプタ３０の第２マウント部３６は、後述する交換レンズ２０のマウント部２６に対して着脱可能である。カメラボディ１０に中間アダプタ３０が装着されると、カメラボディ１０側の端子群１４の各端子と、中間アダプタ３０側の端子群３４の各端子とが、それぞれ電気的に接続される。
【００１７】
＜交換レンズ２０＞
交換レンズ２０には、第２のマウント規格のマウント部２６が設けられている。マウント部２６の周に沿って所定位置には、端子群２７が設けられている。端子群２７は、中間アダプタ３０から交換レンズ２０への電力供給ライン、および中間アダプタ３０と交換レンズ２０との間の通信ラインを構成する。中間アダプタ３０に交換レンズ２０が装着されると、中間アダプタ３０側の端子群３７の各端子と、交換レンズ２０側の端子群２７の各端子とが、それぞれ電気的に接続される。
【００１８】
図２は、図１のカメラシステムの要部を説明する断面図である。図２には、本実施形態を説明する上で必要な構成のみを例示し、それ以外の構成についての図示および説明は省略する。図２において、交換レンズ２０は、結像光学系２１と、絞り２２と、レンズＣＰＵ２３と、レンズ駆動部２４と、絞り駆動部２５とを含む。交換レンズ２０は、端子群２７および端子群３７を介して中間アダプタ３０側から電力の供給を受ける。
【００１９】
結像光学系２１は、カメラボディ１０内の撮像素子１１の撮像面上に被写体像を結像させる。結像光学系２１は複数のレンズ２１ａ〜２１ｃにより構成されており、結像光学系２１による焦点位置を調節するためのフォーカシングレンズ２１ｂを含む。
【００２０】
レンズＣＰＵ２３は、マイクロコンピュータ、メモリおよびその周辺回路等によって構成され、交換レンズ２０内の各部を制御する。レンズＣＰＵ２３には、レンズ駆動部２４および絞り駆動部２５が接続される。レンズＣＰＵ２３はさらに、上記端子群２７および端子群３７を介して中間アダプタ３０のアダプタＣＰＵ３２との間で通信を行う。
【００２１】
レンズ駆動部２４は、ステッピングモータ等のアクチュエータを含み、レンズＣＰＵ２３からの指示に応じてフォーカシングレンズ２１ｂを光軸方向（図２において左右方向）に進退移動させる。絞り駆動部２５は、レンズＣＰＵ２３からの指示に応じて絞り２２の口径を制御する。
【００２２】
中間アダプタ３０は、アダプタＣＰＵ３２およびレンズシャッター装置３１を含む。中間アダプタ３０は、端子群３４および端子群１４を介してカメラボディ１０から電力の供給を受ける。カメラボディ１０から供給された電力は、端子群３７および端子群２７を介して交換レンズ２０にも送られる。
【００２３】
アダプタＣＰＵ３２は、マイクロコンピュータ、メモリおよびその周辺回路等により構成される。アダプタＣＰＵ３２は、上記端子群３４および端子群１４を介してカメラボディ１０のカメラＣＰＵ１２との間で通信を行う他、上記端子群３７および端子群２７を介して交換レンズ２０のレンズＣＰＵ２３との間で通信を行う。本実施形態では、アダプタＣＰＵ３２を介してカメラＣＰＵ１２およびレンズＣＰＵ２３間の通信が可能に構成されている。
【００２４】
レンズシャッター装置３１は、中間アダプタ３０内の光路上に設けられる。レンズシャッター装置３１は、アダプタＣＰＵ３２からの制御信号によってシャッターの開閉制御を行う。レンズシャッター装置３１がシャッターを閉じると、撮像素子１１へ進む被写体光の光路が遮断される。レンズシャッター装置３１がシャッターを開くと、被写体光の光路が開き、被写体光が撮像素子１１へ進む。レンズシャッター装置３１に対する開閉指示は、カメラＣＰＵ１２からアダプタＣＰＵ３２へ送られる。レンズシャッター装置３１は、通常開いたままである。
【００２５】
カメラボディ１０は、撮像素子１１と、カメラＣＰＵ１２と、表示部１３とを含む。撮像素子１１は、例えばＣＭＯＳイメージセンサによって構成され、被写体像を撮像して画像信号を出力する。カメラＣＰＵ１２は、マイクロコンピュータ、メモリおよびその周辺回路等により構成され、カメラシステムの各部を制御する。表示部１３は、液晶パネル等によって構成され、撮像素子１１で取得された画像等を再生表示する。
【００２６】
＜フローチャートの説明＞
上記中間アダプタ３０を用いて、カメラボディ１０にも交換レンズ２０にも機械式シャッターが存在しない場合にダーク露光画像（以降暗黒画像と呼ぶ）を取得し、ノイズ低減処理を行う例を説明する。ここで行うノイズ低減処理は、長秒時撮影時に生じやすい暗電流ノイズを除去するものである。すなわち、シャッター装置３１を開いて被写体を撮影した通常の露光画像のデータから、シャッター装置３１を閉じて撮像素子１１を遮光した状態で取得した暗黒画像のデータを画素単位で減算して、撮影画像に含まれるノイズ低減を図る。
【００２７】
図３は、図１および図２に例示したカメラシステムにおいて、カメラＣＰＵ１２が実行する撮影処理の流れを説明するフローチャートである。カメラＣＰＵ１２は、ノイズ低減処理がオン設定された場合に、図３による処理を起動させる。図３によるプログラムは、カメラＣＰＵ１２内のメモリに格納されている。
【００２８】
図３のステップＳ１において、カメラＣＰＵ１２は、測光を開始させてステップＳ２へ進む。具体的には、撮像素子１１に所定のフレームレート（例えば６０ｆｐｓ）でライブビュー画像の取得を開始させ、取得された画像信号に基づいて測光処理を行う。カメラＣＰＵ１２は、ライブビュー画像を表示部１３に逐次表示させながら、測光結果に基づいて露出値を求め、ＩＳＯ感度、絞り値、シャッター速度を決定する。
【００２９】
ステップＳ２において、カメラＣＰＵ１２は、撮影指示操作の有無を判定する。カメラＣＰＵ１２は、シャッターボタン１６が全押し操作されると、ステップＳ２を肯定判定してステップＳ３へ進み、シャッターボタン１６が全押し操作されない場合には、ステップＳ２を否定判定してステップＳ１へ戻る。ステップＳ１へ戻る場合は、測光処理を繰り返しながら撮影指示を待つ。
【００３０】
ステップＳ３において、カメラＣＰＵ１２は撮影処理を行う。カメラＣＰＵ１２は、上記決定したＩＳＯ感度、絞り値、およびシャッター速度に制御して撮像素子１１に画像を取得させ、ステップＳ４へ進む。
【００３１】
ステップＳ４において、カメラＣＰＵ１２は、ステップＳ３の画像取得時に制御したシャッター速度Ｔｖが１秒より高速か否かを判定する。カメラＣＰＵ１２は、Ｔｖが１秒より高速の場合にステップＳ４を肯定判定してステップＳ５へ進み、１秒より低速の場合にはステップＳ４を否定判定してステップＳ７へ進む。
【００３２】
シャッター速度Ｔｖが１秒より高速の場合に進むステップＳ５において、カメラＣＰＵ１２は、図示しない記録媒体へ取得画像のデータを記録してステップＳ６へ進む。ステップＳ６において、カメラＣＰＵ１２は、終了操作が行われたか否かを判定する。カメラＣＰＵ１２は、例えば、再生処理モードへの切替え操作が行われた場合に、ステップＳ６を肯定判定して図３による処理を終了する。カメラＣＰＵ１２は、再生処理モードへ切替え操作されない場合には、ステップＳ６を否定判定してステップＳ１へ戻る。ステップＳ１へ戻る場合は上述した処理を繰り返す。
【００３３】
シャッター速度Ｔｖが１秒より低速の場合に進むステップＳ７において、カメラＣＰＵ１２は、中間アダプタ３０のアダプタＣＰＵ３２へ指示を送り、レンズシャッター装置３１を閉駆動させてステップＳ８へ進む。ステップＳ８において、カメラＣＰＵ１２は、ステップＳ３の画像取得時と同じＩＳＯ感度、絞り値、およびシャッター速度に制御して撮像素子１１に画像を取得させ、ステップＳ９へ進む。この場合に取得される画像は、レンズシャッター装置３１によって撮像素子１１が遮光された暗黒画像である。
【００３４】
ステップＳ９において、カメラＣＰＵ１２は、ステップＳ３で取得した画像データからステップＳ８で取得した画像データを減算するノイズ低減処理を行ってステップＳ１０へ進む。ステップＳ１０において、カメラＣＰＵ１２は、中間アダプタ３０のアダプタＣＰＵ３２へ指示を送り、レンズシャッター装置３１を開駆動させてステップＳ５へ進む。ステップＳ５へ進んだカメラＣＰＵ１２は、図示しない記録媒体へノイズ低減処理後の画像のデータを記録してステップＳ６へ進む。
【００３５】
以上の説明では、シャッター速度Ｔｖが１秒より低速の場合にノイズ低減処理を行う例を説明したが、ノイズ低減処理の要否を判定するシャッター速度Ｔｖの値は、１秒に限らず適宜変更して構わない。
【００３６】
以上説明した実施形態によれば、次の作用効果が得られる。
（１）中間アダプタ３０は、カメラボディ１０と結合されるマウント部３５と、交換レンズ２０と結合されるマウント部３６と、マウント部３５に結合されたカメラボディ１０との間で通信するアダプタＣＰＵ３２と、マウント部３６からマウント部３５へ進む光の光路上に設けられたシャッター装置３１と、通常はシャッター装置３１を開駆動し、マウント部３５に結合されたカメラボディ１０の撮像素子１１の露光時間が所定時間より長い場合にカメラボディ１０から送信される指示がアダプタＣＰＵ３２で受信されると、上記露光時間と同じ長さでシャッター装置３１を閉駆動させるアダプタＣＰＵ３２と、を備えるようにした。これにより、カメラボディ１０と交換レンズ２０との間でマウント規格が異なる場合であって、カメラボディ１０にも交換レンズ２０にも機械式シャッターが存在しない場合において、撮像素子１１に起因する固定パターンノイズの影響を低減する処理を可能にする中間アダプタ３０を提供できる。
【００３７】
（２）上記中間アダプタ３０において、上記指示は、カメラボディ１０において撮像素子１１で生じるノイズの低減処理のためにカメラボディ１０から送信される。これにより、中間アダプタ３０側からカメラボディ１０側を制御するような複雑な処理が不要であり、中間アダプタ３０を簡単に構成にすることができる。
【００３８】
（３）上記中間アダプタ３０において、マウント部３６には、一眼レフカメラ用の交換レンズ２０が結合されるので、中間アダプタ３０を用いることにより、一眼レフカメラ用のマウント規格の交換レンズ２０を、他のマウント規格のカメラボディ１０と組合せて使用できる。
【００３９】
（４）上記中間アダプタ３０において、マウント部３５には、シャッター装置を搭載しないカメラボディ１０が結合されるので、中間アダプタ３０を用いることにより、一眼レフカメラと異なるマウント規格を採用するカメラボディ１０を、他のマウント規格の交換レンズ２０と組合せて使用できる。
【００４０】
（変形例１）
中間アダプタ３０にシャッター装置３１を備える代わりに、ＮＤ(Neutral Density)フィルタを備えるようにしてもよい。ＮＤフィルタは、中間アダプタを通過する光を所定量減衰させる。このＮＤフィルタを、被写体光の光路上と光路外との間で移動可能に構成する。変形例１のアダプタＣＰＵ３２は、カメラＣＰＵ１２からの指示に応じてＮＤフィルタを光路上へ挿入させる。これにより、撮像素子１１に結像する被写体像が暗くなる。一方、アダプタＣＰＵ３２は、カメラＣＰＵ１２からの指示に応じてＮＤフィルタを光路上から退避させる。これにより、撮像素子１１に結像する被写体像が明るくなる。ＮＤフィルタの通常位置は、光路外へ退避した位置である。
【００４１】
変形例１では、カメラボディ１０から交換レンズ２０の絞り制御を行わない場合に、上記ＮＤフィルタを搭載する中間アダプタを用いて、昼間の長秒時撮影処理を行う例を説明する。図４は、変形例１のカメラシステムにおいて、カメラＣＰＵ１２が実行する撮影処理の流れを説明するフローチャートである。カメラＣＰＵ１２は、日中長秒時撮影処理がオン設定された場合に、図４による処理を起動させる。図４によるプログラムは、カメラＣＰＵ１２内のメモリに格納されている。
【００４２】
図４のステップＳ２１において、カメラＣＰＵ１２は、測光を開始させてステップＳ２２へ進む。具体的には、撮像素子１１にライブビュー画像の取得を開始させ、取得された画像信号に基づいて測光処理を行う。カメラＣＰＵ１２は、ライブビュー画像を表示部１３に逐次表示させながら、測光結果に基づいて露出値を求め、ＩＳＯ感度、シャッター速度を決定する。変形例１の場合、絞り２２を制御しないので、絞り値は固定（例えば開放値）とする。
【００４３】
ステップＳ２２において、カメラＣＰＵ１２は、撮影指示操作の有無を判定する。カメラＣＰＵ１２は、シャッターボタン１６が全押し操作されると、ステップＳ２２を肯定判定してステップＳ２３へ進み、シャッターボタン１６が全押し操作されない場合には、ステップＳ２２を否定判定してステップＳ２１へ戻る。ステップＳ２１へ戻る場合は、測光処理を繰り返しながら撮影指示を待つ。
【００４４】
ステップＳ２３において、カメラＣＰＵ１２は、上記決定したシャッター速度Ｔｖが１／４０００秒より低速か否かを判定する。カメラＣＰＵ１２は、Ｔｖが１／４０００秒より低速の場合にステップＳ２３を肯定判定してステップＳ２４へ進み、１／４０００秒より高速が必要と判定された場合には、ステップＳ２３を否定判定してステップＳ２７へ進む。
【００４５】
Ｔｖが１／４０００秒より低速である場合に進むステップＳ２４において、カメラＣＰＵ１２は撮影処理を行う。カメラＣＰＵ１２は、上記決定したＩＳＯ感度、およびシャッター速度に制御して撮像素子１１に画像を取得させ、ステップＳ２５へ進む。
【００４６】
ステップＳ２５において、カメラＣＰＵ１２は、図示しない記録媒体へ取得画像のデータを記録してステップＳ２６へ進む。ステップＳ２６において、カメラＣＰＵ１２は、終了操作が行われたか否かを判定する。カメラＣＰＵ１２は、例えば、再生処理モードへの切替え操作が行われた場合に、ステップＳ２６を肯定判定して図４による処理を終了する。カメラＣＰＵ１２は、再生処理モードへ切替え操作されない場合には、ステップＳ２６を否定判定してステップＳ２１へ戻る。ステップＳ２１へ戻る場合は上述した処理を繰り返す。
【００４７】
シャッター速度Ｔｖが１／４０００秒より高速が必要と判定された場合に進むステップＳ２７において、カメラＣＰＵ１２は、中間アダプタのアダプタＣＰＵ３２へ指示を送り、ＮＤフィルタを挿入（光路上へ移動）させてステップＳ２８へ進む。ステップＳ２８において、カメラＣＰＵ１２は、上記決定しているＩＳＯ感度、およびＮＤフィルタによる減衰相当分を低速に制御したシャッター速度で撮像素子１１に画像を取得させ、ステップＳ２９へ進む。この場合に取得される画像は、ステップＳ２４に比べて長秒時露光の撮影画像である。
【００４８】
ステップＳ２９において、カメラＣＰＵ１２は、中間アダプタのアダプタＣＰＵ３２へ指示を送り、ＮＤフィルタを退避（光路外へ移動）させてステップＳ２５へ進む。
【００４９】
以上説明した変形例１によれば、カメラボディ１０と交換レンズ２０との間でマウント規格が異なる場合であって、交換レンズ２０の絞りをカメラボディ１０側から制御しない場合（または交換レンズに絞りが設けられていない場合）でも、日中長秒時の撮影を行える。これにより、例えば、滝や渓流を長秒時露光で流れるように表現したり、街中で通行人が写らないように長秒時露光したりするなど、多様な写真表現を可能にする中間アダプタ３０を提供できる。
【００５０】
変形例１の説明では、測光結果に基づいて１／４０００秒より高速のシャッター速度Ｔｖが必要と判定された場合に、ＮＤフィルタを光路上へ移動する例を説明した。ＮＤフィルタを光路上へ移動するか否かの境界となるシャッター速度Ｔｖの値は、１／４０００秒に限らず、適宜変更して構わない。一般的なカメラにおいて、シャッター速度の最高速は１／４０００秒程度である。このため、変形例１の説明において例示的に１／４０００秒を用いた。もし、シャッター速度の最高速が１／８０００秒である場合には、ＮＤフィルタを光路上へ移動するか否かの境界とするシャッター速度Ｔｖの値を１／８０００秒としてもよい。
【００５１】
また、ＮＤフィルタを光路上へ移動するか否かを最高速のシャッター速度が必要とされるか否かに応じて決定する代わりに、測光結果に基づいて露出オーバー（またはそのおそれ）が判定されるか否かに応じて決定するように構成してもよい。
【００５２】
（変形例２）
中間アダプタ３０の中に、シャッター装置３１とＮＤフィルタの双方を備えるように構成してもよい。
【００５３】
（変形例３）
中間アダプタ３０の中に開口絞りを設け、この絞りによって遮光可能に構成してもよい。この場合の絞りは、撮像素子１１への被写体光を制限（減光）しない状態から、１００％減光する状態（すなわち遮光状態）までの減光が可能である。絞りで遮光する状態と、絞りを開放する状態は、それぞれ上記シャッター装置３１を閉じた状態と、シャッター装置３１を開いた状態に対応する。
【００５４】
（変形例４）
中間アダプタ３０の中に、ＮＤフィルタ以外の他のフィルタ（例えば、偏光フィルタ、ソフトフォーカスフィルタ等）を備えるように構成してもよい。
【００５５】
以上の説明はあくまで一例であり、上記の実施形態の構成に何ら限定されるものではない。
【符号の説明】
【００５６】
１０…カメラボディ
１１…撮像素子
１５、２６、３５、３６…マウント部
２０…交換レンズ
３０…中間アダプタ
３１…シャッター装置
３２…アダプタＣＰＵ
【図１】
2014236243.tif 000003
【図２】
2014236243.tif 000004
【図３】
2014236243.tif 000005
【図４】
2014236243.tif 000006